(57)【要約】【課題】端末内サーバを搭載した移動通信装置の電池の消耗を抑えることができる移動通信装置、遠隔制御システム及び端末内サーバ起動方法を提供すること【解決手段】本発明かかる移動通信装置は、遠隔操作機器５０からの遠隔操作を受け付け、遠隔操作内容に応じた操作を実行する端末内サーバ１１と、端末内サーバ１１の起動条件を保持する起動条件保持部１２と、内部センサ１６及び移動通信装置１０と通信を行う外部センサ６０のうち少なくとも一方のセンサにおいて検出されたセンサ情報を保持するするセンサ情報保持部１３と、センサ情報保持部１３に保持されたセンサ情報が端末内サーバ１１の起動条件を満たす場合に、端末内サーバ１１を起動させる起動制御部１４と、を備えるものである。【選択図】図１
2012209700.tif 000002
【特許請求の範囲】
【請求項１】
遠隔操作により制御される移動通信装置であって、
遠隔操作機器からの遠隔操作を受け付け、前記遠隔操作内容に応じた操作を実行する端末内サーバと、
前記端末内サーバの起動条件を保持する起動条件保持部と、
前記移動通信装置内に搭載された内部センサ及び前記移動通信装置と無線回線を介して通信を行う外部センサのうち少なくとも一方のセンサにおいて検出されたセンサ情報を保持するするセンサ情報保持部と、
前記センサ情報保持部に保持されたセンサ情報が前記端末内サーバの起動条件を満たす場合に、前記端末内サーバを起動させる起動制御部と、を備える移動通信装置。
【請求項２】
前記内部センサは、
前記移動通信装置に搭載された位置情報検出部を含み、
前記起動制御部は、
前記位置情報検出部によって検出された位置が前記端末内サーバの起動条件を満たす場合に、前記端末内サーバを起動させる、請求項１記載の移動通信装置。
【請求項３】
前記外部センサは、
前記移動通信装置を操作するユーザの身体状態を検出するセンサ部を含み、
前記起動制御部は、
前記センサ部によって検出された身体状態が前記端末内サーバの起動条件を満たす場合に、前記端末内サーバを起動させる、請求項１又は２記載の移動通信装置。
【請求項４】
前記移動通信装置を操作するユーザに対して情報を出力するユーザインタフェースをさらに備え、
前記端末内サーバは、
前記遠隔操作内容に応じて、前記ユーザインタフェースの機能を制御する、請求項１乃至３のいずれか１項に記載の移動通信装置。
【請求項５】
前記ユーザインタフェースは、
画面表示部、スピーカ及びバイブレータのうち少なくとも１つを有する、請求項４記載の移動通信装置。
【請求項６】
前記端末内サーバが起動された場合に、遠隔操作を実行するタイミングであることを前記遠隔操作機器へ通知する通信部をさらに備える、請求項１乃至５のいずれか１項に記載の移動通信装置。
【請求項７】
前記端末内サーバは、
前記遠隔操作機器から受け付けた遠隔操作を実行した後に、前記遠隔操作の実行結果を前記遠隔操作機器へ送信する、請求項１乃至６のいずれか１項に記載の移動通信装置。
【請求項８】
前記端末内サーバは、
前記遠隔操作機器から遠隔操作内容が設定されたｈｔｔｐメッセージを受け取り、前記ｈｔｔｐメッセージに応じたＡＰＩに対応する処理を実行することにより、前記遠隔操作を実行する、請求項１乃至７のいずれか１項に記載の移動通信装置。
【請求項９】
遠隔操作機器と、
前記遠隔操作機器からの遠隔操作を受け付け、前記遠隔操作内容に応じた操作を実行する端末内サーバを有する移動通信装置と、
前記端末内サーバの起動条件を保持する起動条件保持手段と、
前記移動通信装置内に搭載された内部センサ及び前記移動通信装置と無線回線を介して通信を行う外部センサのうち少なくとも一方のセンサにおいて検出されたセンサ情報を保持するするセンサ情報保持手段と、
前記センサ情報保持手段に保持されたセンサ情報が前記端末内サーバの起動条件を満たす場合に、前記端末内サーバを起動させる起動制御手段と、を備える遠隔制御システム。
【請求項１０】
前記内部センサは、
前記移動通信装置に搭載された位置情報検出手段を含み、
前記起動制御手段は、
前記位置情報検出手段によって検出された位置が前記端末内サーバの起動条件を満たす場合に、前記端末内サーバを起動させる、請求項９記載の遠隔制御システム。
【請求項１１】
前記外部センサは、
前記移動通信装置を操作するユーザの身体状態を検出するセンサ手段を含み、
前記起動制御手段は、
前記センサ手段によって検出された身体状態が前記端末内サーバの起動条件を満たす場合に、前記端末内サーバを起動させる、請求項９又は１０記載の遠隔制御システム。
【請求項１２】
前記移動通信装置は、
前記移動通信装置を操作するユーザに対して情報を出力するユーザインタフェースをさらに備え、
前記端末内サーバは、
前記遠隔操作内容に応じて、前記ユーザインタフェースの機能を制御する、請求項９乃至１１のいずれか１項に記載の遠隔制御システム。
【請求項１３】
前記ユーザインタフェースは、
画面表示手段、スピーカ及びバイブレータのうち少なくとも１つを有する、請求項１２記載の遠隔制御システム。
【請求項１４】
前記端末内サーバが起動された場合に、遠隔操作を実行するタイミングであることを前記遠隔操作機器へ通知する通信手段をさらに備える、請求項９乃至１３のいずれか１項に記載の遠隔制御システム。
【請求項１５】
前記端末内サーバは、
前記遠隔操作機器から受け付けた遠隔操作を実行した後に、前記遠隔操作の実行結果を前記遠隔操作機器へ送信する、請求項９乃至１４のいずれか１項に記載の遠隔制御システム。
【請求項１６】
前記端末内サーバは、
前記遠隔操作機器から遠隔操作内容が設定されたｈｔｔｐメッセージを受け取り、前記ｈｔｔｐメッセージに応じたＡＰＩに対応する処理を実行することにより、前記遠隔操作を実行する、請求項９乃至１５のいずれか１項に記載の遠隔制御システム。
【請求項１７】
遠隔操作からの遠隔操作を受け付け、前記遠隔操作内容に応じた操作を実行する端末内サーバを備える移動通信装置における端末内サーバ起動方法であって、
前記端末内サーバの起動条件を設定し、
前記移動通信装置内に搭載された内部センサ及び前記移動通信装置と無線回線を介して通信を行う外部センサのうち少なくとも一方のセンサにおいて検出されたセンサ情報を受信し、
前記受信したセンサ情報が前記端末内サーバの起動条件を満たす場合に、前記端末内サーバを起動する端末内サーバ起動方法。
【発明の詳細な説明】
【技術分野】
【０００１】
本発明は移動通信装置、遠隔制御システム及び端末内サーバ起動方法に関し、特にセンサ情報を用いた移動通信装置、遠隔制御システム及び端末内サーバ起動方法に関する。
【背景技術】
【０００２】
買い物などのために一人で外出する子供を、家や職場等にいる家族が見守ったり、子供に対して必要な行動支援を与えたいというニーズが存在する。このような場合、子供もしくは子供を見守る家族のいずれから電話をかけ、口頭で会話をすることにより、子供の様子を把握し、必要な行動を伝えたりすることができる。しかし、この場合、子供側の状況が分かりにくく、さらに、音声通話経由では実行できる行動支援が限られてしまう。そこで、家族が操作する通信端末が、子供が持つ被監視端末を、ネットワークを介して制御する形態が考えられている。そこで、以下に遠隔で家族や家の中等を見守るシステムについて説明する。
【０００３】
特許文献１には、宅内にカメラを設置し、カメラを遠隔操作することにより宅内を撮影し、さらに、撮影した画像をインターネットに接続されているサーバ装置を介して遠隔操作を行っている端末が受け取ることができる、遠隔見守りシステムが開示されている。
【０００４】
特許文献２には、ユーザ端末と、ユーザ端末を見守るサービス提供者端末と、サーバとがネットワークを介して接続されている見守りシステムが開示されている。この見守りシステムにおいては、指定の時間になるとサーバを介して、ユーザ端末とサービス提供者端末とが対話可能な状態になるよう、カメラ及びマイクが動作し、さらに、サーバ装置からユーザ端末に対して動画コンテンツ等を配信することができる。
【０００５】
特許文献３には、見守り対象者（移動端末の使用者）が出発地を出て目的地へ到達するまでの間、保護者の端末は、見守り対象者に関する位置情報を定期的に複数のサーバ装置により構成されるサービスプロバイダシステムを介して受け取るシステムが開示されている。これにより、保護者は、見守り対象者が出発地から目的地までの移動を見守ることができる。
【０００６】
特許文献４には、児童等の見守り対象者が携帯する端末発振器と、保護者等が所持する端末機器と、管理センターとが通信網を介して接続されている見守り通信システムが開示されている。管理センターは、見守り対象者が出発して目的地までの間、位置情報を一定時間逐次取得する。ここで、見守り対象者に緊急事態が発生した場合、管理センターは、複数の保護者等により構成された地域コミュニティの特定構成員の所持する端末に対して緊急事態を通知することにより、保護者及び他の構成員が一緒に見守り対象を保護することができる。
【０００７】
特許文献５には、データサーバが、無線タグにおいて読み取ったタグ情報を収集し、被観察者が所持する携帯端末の位置情報を生成する。この場合、一箇所の無線タグの近傍に、複数の被観察者が所持する携帯端末がある場合、全ての携帯端末の情報を収集することができない場合がある。そのため、被観察者の携帯端末間においてアドホックネットワーク通信を行い、グループを形成する。これにより、ある携帯端末から無線タグを介してタグ情報を収集できない場合においても、形成されたグループ内の携帯端末から収集したタグ情報に基づいて、タグ情報を補間することができる。これにより、収集できなかった携帯端末に関する位置情報を推定することができる。
【先行技術文献】
【特許文献】
【０００８】
【特許文献１】特開２００６−０４１７５３号公報
【特許文献２】特開２００６−２３５９７８号公報
【特許文献３】特開２００７−２５１４０２号公報
【特許文献４】特開２００８−２８２２４９号公報
【特許文献５】特開２００９−２４６８０６号公報
【発明の概要】
【発明が解決しようとする課題】
【０００９】
しかし、特許文献１〜５に開示されているシステムにおいて、監視を行う者が所持する監視端末は、監視対象となる被監視端末の位置情報等を、ネットワーク上のサーバを介して受け取る。そのため、見守りサービス等のサービスを提供する場合、ネットワーク上に大容量のサーバ装置等を配置するために、ネットワークの構成を変更する必要がある。このようなネットワークの構成変更を回避するために、被監視端末にサーバ機能を搭載し、ネットワーク上に専用のサーバ装置を配置しない方法がある。しかし、この場合、被監視端末は、携帯電話端末等の小型通信機器であり、常にサーバ機能が動作することにより、電池の消耗が激しくなるという問題がある。
【００１０】
本発明はこのような問題を解決するために、端末内サーバを搭載した移動通信装置の電池の消耗を抑えることができる移動通信装置、遠隔制御システム及び端末内サーバ起動方法を提供することを目的とする。
【課題を解決するための手段】
【００１１】
本発明の第１の態様にかかる移動通信装置は、遠隔操作により制御される移動通信装置であって、遠隔操作機器からの遠隔操作を受け付け、前記遠隔操作内容に応じた操作を実行する端末内サーバと、前記端末内サーバの起動条件を保持する起動条件保持部と、前記移動通信装置内に搭載された内部センサ及び前記移動通信装置と無線回線を介して通信を行う外部センサのうち少なくとも一方のセンサにおいて検出されたセンサ情報を保持するするセンサ情報保持部と、前記センサ情報保持部に保持されたセンサ情報が前記端末内サーバの起動条件を満たす場合に、前記端末内サーバを起動させる起動制御部と、を備えるものである。
【００１２】
本発明の第２の態様にかかる遠隔制御システムは、遠隔操作機器と、前記遠隔操作機器からの遠隔操作を受け付け、前記遠隔操作内容に応じた操作を実行する端末内サーバを有する移動通信装置と、前記端末内サーバの起動条件を保持する起動条件保持手段と、前記移動通信装置内に搭載された内部センサ及び前記移動通信装置と無線回線を介して通信を行う外部センサのうち少なくとも一方のセンサにおいて検出されたセンサ情報を保持するするセンサ情報保持手段と、前記センサ情報保持手段に保持されたセンサ情報が前記端末内サーバの起動条件を満たす場合に、前記端末内サーバを起動させる起動制御手段と、を備えるものである。
【００１３】
本発明の第３の態様にかかる端末内サーバ起動方法は、遠隔操作からの遠隔操作を受け付け、前記遠隔操作内容に応じた操作を実行する端末内サーバを備える移動通信装置における端末内サーバ起動方法であって、前記端末内サーバの起動条件を設定し、前記移動通信装置内に搭載された内部センサ及び前記移動通信装置と無線回線を介して通信を行う外部センサのうち少なくとも一方のセンサにおいて検出されたセンサ情報を受信し、前記受信したセンサ情報が前記端末内サーバの起動条件を満たす場合に、前記端末内サーバを起動するものである。
【発明の効果】
【００１４】
本発明により、端末内サーバを搭載した移動通信装置の電池の消耗を抑えることができる移動通信装置、遠隔制御システム及び端末内サーバ起動方法を提供することができる。
【図面の簡単な説明】
【００１５】
【図１】実施の形態１にかかる移動通信装置の構成図である。
【図２】実施の形態１にかかる携帯電話端末の構成図である。
【図３】実施の形態１にかかる端末内サーバの構成図である。
【図４】実施の形態１にかかるユーザインタフェース部の構成図である。
【図５】実施の形態１にかかる遠隔操作処理のシーケンスである。
【図６】実施の形態２にかかる携帯電話端末の構成図である。
【図７】実施の形態２にかかる健康機器の構成図である。
【図８】実施の形態２にかかる遠隔操作処理のシーケンスである。
【発明を実施するための形態】
【００１６】
（実施の形態１）
以下、図面を参照して本発明の実施の形態について説明する。図１を用いて本発明の実施の形態１にかかる移動通信装置１０の構成例について説明する。移動通信装置１０は、端末内サーバ１１と、起動条件保持部１２と、センサ情報保持部１３と、起動制御部１４と、通信部１５と、内部センサ１６と、を備えている。また、移動通信装置１０は、遠隔操作機器５０及び外部センサ６０とデータの送受信を行うために、無線回線を介して接続されている。
【００１７】
移動通信装置１０は、遠隔操作機器５０から遠隔操作により制御される。移動通信装置１０は、例えば、携帯電話端末や、ＰＨＳ（Personal Handy-phone System）端末、スマートフォン端末等であって、持ち運びが容易な通信装置である。また、遠隔操作機器５０は、移動通信装置１０と同様、携帯電話端末や、ＰＨＳ端末、スマートフォン端末等の持ち運びが容易な通信装置であってもよく、居室内に設置するパーソナルコンピュータ（以下、ＰＣ）等の情報処理装置であってもよい。移動通信装置１０と遠隔操作機器５０とは、公衆通信回線等を介して通信を行う。
【００１８】
端末内サーバ１１は、遠隔操作機器５０からの遠隔操作を受け付け、受け付けた遠隔操作内容に応じた操作を実行する。受け付けた遠隔操作内容に応じた操作とは、例えば、液晶画面等の表示内容の制御や、スピーカ又はマイク等の音量の調節である。また、端末内サーバ１１は、ＣＰＵ等により構成され、メモリに格納されているプログラムを実行することによりサーバ機能を実行してもよい。
【００１９】
起動条件保持部１２は、端末内サーバ１１の起動条件を保持する。起動条件は、例えば、移動通信装置１０の現在位置や、時刻、時間間隔に関する条件等であってもよい。起動条件保持部１２は、移動通信装置１０内のＲＡＭ（Random Access Memory）等の内部メモリや、ハードディスク等であってもよく、移動通信装置１０の外部に接続されるメモリ装置や、ハードディスク装置等であってもよい。
【００２０】
センサ情報保持部１３は、移動通信装置１０に搭載された内部センサ１６及び移動通信装置１０と無線回線を介して通信を行う外部センサ６０のうち少なくとも一方のセンサにおいて検出されたセンサ情報を保持する。センサ情報保持部１３は、起動条件保持部１２と同様に、移動通信装置１０内のＲＡＭ（Random Access Memory）等の内部メモリや、ハードディスク等であってもよく、移動通信装置１０の外部に接続されるメモリ装置や、ハードディスク装置等であってもよい。
【００２１】
内部センサ１６は、例えば、移動通信装置の位置情報を検出するＧＰＳ（Global Positioning System）であったり、温度センサ等であってもよい。外部センサ６０は、例えば、ユーザに身につけられた心拍センサや、血圧センサ等の健康機器であってもよい。
【００２２】
起動制御部１４は、センサ情報保持部１３に保持されたセンサ情報が端末内サーバ１１の起動条件を満たす場合に、端末内サーバ１１を起動させる。起動制御部１４は、センサ情報保持部１３から受け取ったセンサ情報が、起動条件保持部１２に保持されている起動条件を満たすか否かを判定する。また、起動制御部１４は、端末内サーバ１１を起動させた場合に、端末内サーバ１１を起動させた旨の情報を通信部１５へ出力する。
【００２３】
通信部１５は、端末内サーバ１１が起動された場合に、遠隔操作を実行するタイミングであることを遠隔操作機器５０へ通知する。移動通信装置１０は、端末内サーバ１１が起動されている場合にのみ、遠隔操作機器５０から指示される遠隔操作を実行することができる。そのため、通信部１５は、端末内サーバ１１の起動情報を含む信号を、遠隔操作機器５０へ送信する。また、通信部１５は、外部センサ６０からセンサ情報を受け取り、受け取った情報をセンサ情報保持部１３へ出力する。通信部１５は、移動通信事業者が提供する移動通信網や、インターネット回線等を介して遠隔操作機器５０と接続される。また、通信部１５は、外部センサ６０と、移動通信網やインターネット回線等を介して接続されてもよく、赤外線通信や、Ｂｌｕｅｔｏｏｔｈ（登録商標）等の近距離無線通信により接続されてもよい。
【００２４】
以上説明したように、図１の移動通信装置１０を用いることにより、起動制御部１４は、センサ情報保持部１３に保持されたセンサ情報が端末内サーバ１１の起動条件を満たす場合に、端末内サーバ１１を起動させる。移動通信装置１０は、端末内サーバ１１が起動されている場合のみ遠隔操作機器５０から遠隔操作を受け付ける。これより、端末内サーバ１１は、常時起動されることはない。そのため、端末内サーバ１１が移動通信装置１０に搭載された場合においても、移動通信装置１０は、電池の消耗を抑えることができる。
【００２５】
続いて、図２を用いて本発明の実施の形態１における携帯電話端末２０の構成例について説明する。携帯電話端末２０は、図１における移動通信装置１０の一つの例である。また、携帯電話端末２０において、図１の移動通信装置１０と同一の機能を有する要素は、図１と同一の符号を付して説明する。また、図１の移動通信装置１０と同一の機能を有する要素については、詳細な説明を省略する。また、携帯電話端末２０は、携帯電話端末８０を用いて遠隔制御される。携帯電話端末８０は、遠隔操作機器５０の一つの例である。
【００２６】
携帯電話端末２０は、端末内サーバ１１と、起動条件保持部１２と、起動制御部１４と、通信部１５と、ＧＰＳ測位部２１と、処理管理部２２と、アクセス管理部２３と、ユーザインタフェース部２４とを備えている。
【００２７】
ＧＰＳ測位部２１は、予め定められた時間間隔毎に、ＧＰＳを起動し、ＧＰＳ測位を実施する。ＧＰＳ測位部２１は、ＧＰＳ測位を実施し、携帯電話端末２０の位置情報を算出する。位置情報は、例えば、緯度及び経度情報である。もしくは、位置情報は、緯度及び経度情報に対応付けられた住所情報であってもよい。緯度及び経度情報と、住所情報とは、携帯電話端末２０内に保持されている地図情報データベース（図示せず）等により対応付けられてもよい。ＧＰＳ測位部２１は、算出した位置情報を起動制御部１４へ出力する。
【００２８】
起動条件保持部１２は、端末内サーバ１１の起動条件として、例えば、「買い物に行く店に近づいた時」や、「目的地への想定ルートから大きく逸脱したとき」等が、携帯電話端末２０を使用するユーザにより登録される。もしくは、遠隔操作により端末内サーバ１１の起動条件が設定される。起動条件保持部１２は、設定された起動条件を起動制御部１４へ出力する。
【００２９】
起動制御部１４は、ＧＰＳ測位部２１から出力された位置情報が、起動条件保持部１２から出力された端末内サーバ１１の起動条件を満たしているか否かを判定する。起動制御部１４は、例えば、「買い物に行く店に近づいた時」とする起動条件が出力された場合、「買い物に行く店までの距離が５０メートル以下となった場合」等と、判定を行うために具体的な閾値が設定された起動条件を用いて判定を行ってもよい。起動制御部１４は、ＧＰＳ測位部２１から出力された位置情報が、起動条件保持部１２から出力された端末内サーバ１１の起動条件を満たしていると判定した場合、端末内サーバ１１を起動させる。また、起動制御部１４は、端末内サーバ１１を起動した場合、端末内サーバ１１を起動した旨の情報を通信部１５へ出力する。
【００３０】
通信部１５は、中継サーバ７０を介して携帯電話端末８０へ、端末内サーバ１１が起動されたことを通知するメッセージを送信する。中継サーバ７０は、携帯電話端末２０と携帯電話端末８０との間の通信を媒介するサーバである。また、携帯電話端末８０は、図１における遠隔操作機器５０の一例である。例えば、携帯電話端末８０は、携帯電話端末２０を監視する保護者が所持する装置である。また、通信部１５は、中継サーバ７０と通信を行うにあたり、メッセージの暗号化等行う。中継サーバ７０は、例えば、予め定められた端末に対して携帯電話端末２０に対するアクセスを許可するようにしてもよい。そのため、セキュリティの必要度に応じて、通信部１５は、中継サーバ７０を介さず、直接携帯電話端末８０へメッセージを送信してもよく、複数の中継サーバ７０を介して携帯電話端末８０へメッセージを送信してもよい。
【００３１】
また、通信部１５は、携帯電話端末８０から送信される遠隔操作指示メッセージをアクセス管理部２３へ出力する。例えば、遠隔指示メッセージは、ｈｔｔｐメッセージを用いて送信される。
【００３２】
アクセス管理部２３は、携帯電話端末８０がアクセスを許可されている端末か否かを判定する。アクセスが許可されている端末に関する情報は、例えば、携帯電話端末２０内のメモリ等に保持されていてもよい。アクセス管理部２３は、携帯電話端末８０がアクセスを許可されている端末であると判定した場合、遠隔指示メッセージが設定されているｈｔｔｐメッセージを端末内サーバ１１へ出力する。アクセス管理部２３は、アクセスをしてきた端末が、アクセスを許可されていない端末である場合には、端末内サーバ１１へのアクセスを許可せず、その端末とのセッションを切断等してもよい。
【００３３】
端末内サーバ１１は、ｈｔｔｐメッセージを受け取ると、ｈｔｔｐメッセージに設定されている遠隔指示メッセージに対応するＡＰＩの実行指示を処理管理部２２へ出力する。
【００３４】
ここで、図３を用いて端末内サーバ１１の構成例について説明する。端末内サーバ１１は、複数のＡＰＩ（Application Program Interface）を有している。ＡＰＩとは、アプリケーションや、処理機能の呼び出し方法である。図３は、端末内サーバ１１がＡＰＩ３１〜３３を有している例を示している。端末内サーバ１１が有するＡＰＩは、３つに制限されるものではなく、端末内サーバ１１は、３つ以上のＡＰＩを有してもよく、１つまたは２つのＡＰＩを有してもよい。例えば、ＡＰＩは、ｈｔｔｐメッセージに設定されている遠隔指示メッセージ毎に設けられる。この場合、アクセス管理部２３は、ｈｔｔｐメッセージに設定されている遠隔メッセージに対応するＡＰＩを指定して、端末内サーバ１１にアクセスする。端末内サーバ１１は、指定されたＡＰＩに対応する実行指示を処理管理部２２へ出力する。もしくは、端末内サーバ１１は、アクセス管理部２３から出力されたｈｔｔｐメッセージを受け取り、ｈｔｔｐメッセージに設定されている遠隔指示メッセージに対応するＡＰＩを選択し、選択したＡＰＩに対応する実行指示を処理管理部２２へ出力してもよい。
【００３５】
図２に戻り、処理管理部２２は、端末内サーバ１１からあるＡＰＩに対応する実行指示を受け取ると、そのＡＰＩに対応する処理を実行し、ユーザインタフェース部２４の動作を制御する。例えば、端末内サーバ１１は、「指定された画像イメージを画面に表示する」とのｈｔｔｐメッセージを受け取ると、ブラウザを起動して予め用意された、買うべきものの写真が掲載された内蔵Ｗｅｂページを表示するＡＰＩに対応する処理を実行させる。もしくは、端末内サーバ１１は、「買い物メモを画面に表示する」とのｈｔｔｐメッセージを受け取ると、テキスト表示ツールを起動して、予め用意された買い物メモを表示するＡＰＩに対応する処理を実行させる。
【００３６】
この場合、処理管理部２２は、ユーザインタフェース部２４内の画面表示部２５を制御する。ここで、図４を用いて、ユーザインタフェース部２４の詳細な構成例について説明する。ユーザインタフェース部２４は、画面表示部２５と、スピーカ制御部２６と、マイク制御部２７と、バイブレータ制御部２８と、カメラ制御部２９とを有する。
【００３７】
画面表示部２５は、液晶ディスプレイ等により構成される。スピーカ制御部２６は、スピーカの音量等を制御する。マイク制御部２７は、携帯電話端末２０を操作するユーザから入力される音声の音量等を制御する。バイブレータ制御部２８は、携帯電話端末２０に搭載されているバイブレータ機能の振動時間や、振動の大きさ等を制御する。カメラ制御部２９は、携帯電話端末２０に搭載されているカメラ機能を制御する。
【００３８】
例えば、スピーカ制御部２６は、予め用意された買い物メモ等のテキストメッセージを読み上げて音声出力することもできる。さらに、スピーカ制御部２６は、携帯電話端末２０を監視している親が所持する携帯電話端末８０から音声により送信されたメッセージを音声出力することもできる。また、マイク制御部２７は、マイクをＯＮにすることにより、買い物先の店員からの音声を入力し、端末内サーバ１１は、通信部１５を介して携帯電話端末８０へ音声データを送信することもできる。
【００３９】
続いて、図５を用いて本発明の実施の形態１にかかる遠隔操作処理の流れについて説明する。はじめに、携帯電話端末８０は、携帯電話端末２０に対して遠隔操作タイミングを通知してほしい条件を設定したメッセージを送信する（Ｓ１１）。次に、携帯電話端末２０は、遠隔操作タイミングを通知してほしい条件を、端末内サーバ１１の起動条件として起動条件保持部１２に保持する（Ｓ１２）。携帯電話端末８０は、遠隔操作タイミングを通知してほしい条件を、携帯電話端末２０に対する遠隔操作を行うことにより、携帯電話端末２０に設定してもよい。もしくは、携帯電話端末８０は、電子メール等により遠隔操作タイミングを通知してほしい条件を携帯電話端末２０へ送信し、携帯電話端末２０を操作するユーザの操作により、端末内サーバ１１の起動条件が設定されてもよい。
【００４０】
次に、起動制御部１４は、ＧＰＳ測位部２１によって算出された位置情報を分析する（Ｓ１３）。つまり、起動制御部１４は、ＧＰＳ測位部２１から出力された位置情報が、起動条件保持部１２から出力された端末内サーバ１１の起動条件を満たしているか否かを判定する。起動制御部１４は、起動条件保持部１２から出力された端末内サーバ１１の起動条件を満たしていると判定した場合、端末内サーバ１１を起動するとともに、通信部１５を介して、携帯電話端末８０へ端末内サーバが起動した旨のメッセージを送信する（Ｓ１４）。次に、携帯電話端末８０は、端末内サーバ１１に設定されているＵＲＬ又はＩＰアドレスを指定して、遠隔操作指示を設定したｈｔｔｐメッセージを送信する（Ｓ１５）。
【００４１】
次に、端末内サーバ１１は、処理管理部２２に対して受け取ったｈｔｔｐメッセージに対応するＡＰＩの実行指示を行い、処理管理部２２は、ユーザインタフェース部２４に対してＡＰＩに対応する処理を実行する（Ｓ１６）。次に、端末内サーバ１１は、ＡＰＩ実行結果を携帯電話端末８０へ通知する（Ｓ１７）。携帯電話端末８０は、受け取ったＡＰＩ実行結果を、表示部（図示せず）等へ出力する。これにより、携帯電話端末８０を操作するユーザは、ＡＰＩ実行結果を確認することができる（Ｓ１８）。
【００４２】
以上説明したように、本発明の実施の形態１にかかる移動通信装置１０又は携帯電話端末２０を用いることにより、遠隔操作機器５０が遠隔操作を実行するタイミングに合わせて端末内サーバ１１を起動させることができる。そのため、端末内サーバ１１を常時起動させている場合と比較して、移動通信装置１０又は携帯電話端末２０の電池の消耗を抑えることができる。
【００４３】
また、携帯電話端末２０を監視する携帯電話端末８０は、端末内サーバ１１が起動されている間にユーザインタフェース部２４を操作する遠隔操作を行うことができる。これにより、例えば、買い物などに一人で外出する子供を家や職場にいる家族が見守り、必要な行動支援を与えたいという要求に応えることができる。
【００４４】
（実施の形態２）
続いて、図６を用いて本発明の実施の形態２にかかる携帯電話端末１００の構成例について説明する。なお、図２と同一の要素には同一の符号を付して説明し、詳細な説明を省略する。携帯電話端末１００は、端末内サーバ１１と、起動条件保持部１２と、起動制御部１４と、通信部１５と、処理管理部２２と、アクセス管理部２３と、ユーザインタフェース部２４と、健康管理情報保持部９１とを備えている。
【００４５】
健康管理情報保持部９１は、通信部１５を介して、健康機器９０から健康管理情報を受け取る。健康機器９０は、例えば、身体に装着する心拍センサや、血圧センサ等である。健康管理情報は、心拍センサにおいて検出された心拍数や、血圧センサにおいて検出された血圧値等である。健康管理情報保持部９１は、受け取った健康管理情報を保持する。
【００４６】
ここで、起動条件保持部１２には、例えば、「心拍数がＡ以上（Ａは心拍数の数値）」や、「血圧がＢ（Ｂは血圧値の数値）以上」等の条件が保持されてもよい。起動制御部１４は、健康管理情報保持部９１に保持された健康管理情報が、起動条件保持部１２に保持されている端末内サーバ１１の起動条件を満たしているか否かを判定する。起動制御部１４は、健康管理情報保持部９１に保持された健康管理情報が、起動条件保持部１２に保持されている端末内サーバ１１の起動条件を満たしていると判定した場合、端末内サーバ１１を起動させる。その他の構成は、図２の携帯電話端末２０と同一であり、携帯電話端末８０や、携帯電話端末２０を所持するユーザの家族が所持するＰＣ８１等から、端末内サーバ１１に対して、「この薬を飲むように」や、「医者へ行くように」等を画面表示部２５に表示させるように遠隔操作の指示をし、携帯電話端末２０を所持するユーザに対して行動支援を行うことができる。
【００４７】
続いて、図７を用いて本発明の実施の形態２にかかる健康機器９０の構成例について説明する。健康機器９０は、通信部９５と、センサ/ユーザインタフェース（ＵＩ）管理部９６と、センサ９７と、ＵＩ９８とを備えている。
【００４８】
通信部９５は、携帯電話端末１００と通信を行う。通信部９５は、携帯電話端末１００と、赤外線通信又はＢｌｕｅｔｏｏｔｈ（登録商標）を用いた近距離無線通信や、無線ＬＡＮ通信等により通信を行う。センサ９７は、心拍センサや、血圧センサであり、健康機器９０を身につけているユーザの心拍数や、血圧値等の健康管理情報を検出する。センサ９７は、検出した健康管理情報をセンサ/ＵＩ管理部９６へ出力する。センサ/UI管理部９６は、受け取った健康管理情報を、通信部９５を介して携帯電話端末１００へ送信する。
【００４９】
また、センサ/ＵＩ管理部９６は、携帯電話端末８０又はＰＣ８１等からの遠隔制御により、ＵＩ９８を制御することができる。ＵＩ９８は、例えば画像表示部や、スピーカ、マイク等である。携帯電話端末８０又はＰＣ８１等は、携帯電話端末１００の端末内サーバ１１を介してＵＩ９８の遠隔制御を行うことができる。
【００５０】
続いて、図８を用いて本発明の実施の形態２にかかる遠隔操作処理の流れについて説明する。はじめに、携帯電話端末８０は、携帯電話端末１００に対して遠隔操作タイミングを通知してほしい条件を送信する（Ｓ２１）。次に、携帯電話端末１００は、遠隔操作タイミングを通知してほしい条件を、端末内サーバ１１の起動条件として起動条件保持部１２に保持する（Ｓ２２）。携帯電話端末８０は、遠隔操作タイミングを通知してほしい条件を、携帯電話端末１００に対する遠隔操作を行うことにより、携帯電話端末１００に設定してもよい。もしくは、携帯電話端末８０は、電子メール等により遠隔操作タイミングを通知してほしい条件を送信し、携帯電話端末１００を操作するユーザの操作により、端末内サーバ１１の起動条件が設定されてもよい。
【００５１】
次に、健康機器９０は、センサ９７においてセンサ情報を検出する（Ｓ２３）。次に、健康機器９０は、検出したセンサ情報を携帯電話端末１００へ送信する（Ｓ２４）。次に、起動制御部１４は、健康機器９０から受け取ったセンサ情報を分析する（Ｓ２５）。つまり、起動制御部１４は、健康機器９０から受け取ったセンサ情報が、起動条件保持部１２から出力された端末内サーバ１１の起動条件を満たしているか否かを判定する。起動制御部１４は、健康機器９０から受け取ったセンサ情報が、起動条件保持部１２から出力された端末内サーバ１１の起動条件を満たしていると判定した場合、端末内サーバ１１を起動するとともに、通信部１５を介して、携帯電話端末８０へ端末内サーバ１１が起動した旨のメッセージを送信する（Ｓ２６）。
【００５２】
次に、携帯電話端末８０は、端末内サーバ１１に設定されているＵＲＬ又はＩＰアドレスを指定して、遠隔操作指示を設定したｈｔｔｐメッセージを送信する（Ｓ２７）。
【００５３】
次に、端末内サーバ１１は、健康機器９０のセンサ/ＵＩ管理部９６に対して、受け取ったｈｔｔｐメッセージに対応するＡＰＩの実行指示を行う（Ｓ２８）。センサ/ＵＩ管理部９６は、ＵＩ９８対してＡＰＩに対応する処理を実行する（Ｓ２９）。次に、ＵＩ９８は、ＡＰＩに対応する処理を実行した結果を画面表示部等へ表示する（Ｓ３０）。
【００５４】
以上説明したように、本発明の実施の形態２にかかる遠隔制御システムを用いることにより、健康機器９０において検出されたセンサ情報を用いて、携帯電話端末１００における端末内サーバ１１の起動タイミングを制御することができる。これにより、実施の形態１と同様に、携帯電話端末１００の電池の消耗を抑えることができる。
【００５５】
また、健康機器９０を用いてハプティック通信を行うこともできる。ハプティック通信とは、音声や、文字に関する情報に加えて、触覚や、感覚等に関する情報を送信する。ハプティック通信を行うことにより、触覚や感覚等に関する情報を互いに共有することができる。例えば、高齢者を見守る家族は、携帯電話端末８０を用いて、端末内サーバ１１を介して、高齢者が身につけている健康機器９０のバイブレーションを動かすことができる。これにより、高齢者は、家族とのつながり感を得ることができる。また、高齢者を見守る家族が、携帯電話端末８０を用いて健康機器９０を光らせたり、メッセージ等を表示させたりすることによっても、高齢者は、家族とのつながり感を得ることができる。また、高齢者を見守る家族は、健康機器９０から送信される加速度センサにおけるセンサ情報を用いて運動状態を判定し、健康機器９０を身につけている高齢者が適切な外出や、運動等を行った場合に、携帯電話端末８０を用いてバイブレーションを振動させて見守っていることを知らせたり、激励を伝えたりすることができる。
【００５６】
また、上記の説明においては、遠隔操作機器として携帯電話端末８０を用いて説明したが、携帯電話等であってもよい。その他に、例えば、行政機関や、子供見守りサービス提供業者等が有するサーバ装置を遠隔操作機器として用いてもよい。
【００５７】
（実施の形態３）
ここで、上述したシステムを用いて提供することができるサービス例について説明する。子供が所持する携帯電話端末２０において、起動条件保持部１２に「目的地への想定ルートから大きく逸脱したとき」とする起動条件が保持されている場合について説明する。この場合、起動制御部１４は、ＧＰＳ測位部２１から受け取る位置情報が想定ルートから大きく逸脱していることと判定すると、通信部１５を介して親が所持する携帯電話端末８０や、ＰＣ８１に対して端末内サーバ１１が起動された旨のメッセージを通知するとともに、ＧＰＳ測位部２１における測位履歴も併せて通知することができる。ここで、起動制御部は、ＧＰＳ測位部２１から受け取る位置情報が、予め定められた距離以上に想定ルートから逸脱した場合に、「目的地への想定ルートから大きく逸脱した」と判定してもよい。これにより、親は、迷子や誘拐などの可能性のある動きを遠隔にいても知ることができる。また、携帯電話端末を所持する子供が迷子の場合、携帯電話端末８０等から、ユーザインタフェース部２４を遠隔制御することにより、画面表示部２５に地図を表示させたり、スピーカ制御部２６により周りにいる大人への支援要請などを行うことができる。さらに、携帯電話端末８０は、カメラ制御部２９用いて撮影された周辺状況の映像を受け取ることにより、子供の居場所を特定することもできる。さらに、子供が危険場所に接近した時に、携帯電話端末８０は、バイブレータ制御部２８を用いてバイブレータを振動させ子供に危険を知らせることもできる。さらに、マイク制御部２７を用いて、携帯電話端末２０の周囲における異常音を検知して、親は、子供がいる場所が危険場所か否かを判断することもできる。
【００５８】
次に、図２におけるＧＰＳ測位部２１と、図５における健康管理情報保持部９１を活用することにより、次のようなサービスを提供することもできる。ここでは、健康機器９０として加速度センサが用いられる。起動制御部１４は、ＧＰＳ測位部２１と健康管理情報保持部９１とから受け取った情報を用いて、携帯電話端末を所持する者（被監視者）の動きの状態を測定又は判定し、外出したことを察知することも可能である。これを用いれば、例えば、携帯電話端末を所持する者が、都合と体調の良い時間帯に医者に行くことになっている日に、被監視者が家を出た場合に、携帯電話端末から携帯電話端末８０等へ端末内サーバ１１の起動通知が行われる。これにより、携帯電話端末８０等を操作する家族（監視者）が、被監視者の外出を検知することができる。この場合、監視者は、被監視者の携帯電話端末の画面表示部２５へ、「行ってらっしゃい、診察券と保健証は持った？」というようなメッセージを表示させることができる。また、介護ヘルパーが来訪する時間が近づいていれば、「外出は待つように」と知らせるような見守り支援も可能となる。
【００５９】
なお、本発明は上記実施の形態に限られたものではなく、趣旨を逸脱しない範囲で適宜変更することが可能である。
【符号の説明】
【００６０】
１０  移動通信装置
１１  端末内サーバ
１２  起動条件保持部
１３  センサ情報保持部
１４  起動制御部
１５  通信部
１６  内部センサ
２０  携帯電話端末
２１  ＧＰＳ測位部
２２  処理管理部
２３  アクセス管理部
２４  ユーザインタフェース部
２５  画面表示部
２６  スピーカ制御部
２７  マイク制御部
２８  バイブレータ制御部
２９  カメラ制御部
３１〜３３  ＡＰＩ
５０  遠隔操作機器
６０  外部センサ
７０  中継サーバ
８０  携帯電話端末
８１  ＰＣ
９０  健康機器
９１  健康管理情報保持部
９５  通信部
９６  センサ/ＵＩ管理部
９７  センサ
９８  ＵＩ
１００  携帯電話端末
【図１】
2012209700.tif 000003
【図２】
2012209700.tif 000004
【図３】
2012209700.tif 000005
【図４】
2012209700.tif 000006
【図５】
2012209700.tif 000007
【図６】
2012209700.tif 000008
【図７】
2012209700.tif 000009
【図８】
2012209700.tif 000010